(57)【要約】【課題】広告効果が高いと推定される地域を容易に設定することの可能な広告システム、広告方法を提供する。【解決手段】本発明の広告システムは、広告のターゲットとなる属性を有する複数の登録情報であって、複数の地域のうち何れかの地域に関する情報が対応付けられた複数の登録情報を含む登録データを取得する取得手段３１と、何れかの地域に関する情報が所定の地域識別情報を含まない場合に、何れかの地域に関する情報を、何れかの地域に対応する地域識別情報を含むように変更する変更手段３２と、登録データ内の同一の地域識別情報の数に基づいて、複数の地域の中から広告の提供先となる地域を設定する設定手段３３と、を備える。【選択図】図３
2019105884.tif 000002
【特許請求の範囲】
【請求項１】
広告のターゲットとなる属性を有する複数の登録情報であって、複数の地域のうち何れかの地域に関する情報が対応付けられた複数の登録情報を含む登録データを取得する取得手段と、
前記何れかの地域に関する情報が所定の地域識別情報を含まない場合に、前記何れかの地域に関する情報を、前記何れかの地域に対応する地域識別情報を含むように変更する変更手段と、
前記登録データ内の同一の地域識別情報の数に基づいて、前記複数の地域の中から広告の提供先となる地域を設定する設定手段と、
を備える広告システム。
【請求項２】
前記設定手段は、前記登録データが複数存在する場合に、複数の登録データ毎の同一の地域識別情報の数に基づいて、広告の提供先となる地域を設定する、請求項１に記載の広告システム。
【請求項３】
前記設定手段は、前記複数の登録データのうち何れかの登録データ内の同一の地域識別情報の数を、前記何れかの登録データに対して設定された広告との関連度に応じて重み付けする、請求項２に記載の広告システム。
【請求項４】
前記地域識別情報は郵便番号である、請求項１〜３の何れかに記載の広告システム。
【請求項５】
広告の提供先となる地域をコンピュータに設定させる広告方法であって、
前記コンピュータは、
広告のターゲットとなる属性を有する複数の登録情報であって、複数の地域のうち何れかの地域に関する情報が対応付けられた複数の登録情報を含む登録データを取得するステップと、
前記何れかの地域に関する情報が所定の地域識別情報を含まない場合に、前記何れかの地域に関する情報を、前記何れかの地域に対応する地域識別情報を含むように変更するステップと、
前記登録データ内の同一の地域識別情報の数に基づいて、前記複数の地域の中から広告の提供先となる地域を設定するステップと、
の各ステップを実行する、広告方法。
【発明の詳細な説明】
【技術分野】
【０００１】
本発明は、広告システム、広告方法に関する。
【背景技術】
【０００２】
従来の広告宣伝手段の一例として、チラシ等の広告媒体が折り込まれた情報媒体（例えば新聞やタウン情報誌等）を、当該情報媒体の配達地域内の各家庭等に配布することが知られている。また、かかる広告媒体を、情報媒体とは別に各家庭等に直接配布する、いわゆるポスティングという手段も用いられている（例えば、特許文献１）。
【先行技術文献】
【特許文献】
【０００３】
【特許文献１】特開２００７−６５８９６号公報
【発明の概要】
【発明が解決しようとする課題】
【０００４】
ところで、広告媒体の配布によって広告効果を上げるためには、広告媒体の配布地域を広く設定することが考えられる。しかしながら、広告媒体の配布にかかる予算が限られている場合には、当該予算内で広告効果を効率良く上げるために、広告媒体の配布地域を、広告効果が高いと推定される地域に設定する必要がある。
【０００５】
本発明は上記課題に鑑みてなされたものであり、広告効果が高いと推定される地域を容易に設定することの可能な広告システム、広告方法を提供することを目的とする。
【課題を解決するための手段】
【０００６】
上記課題を解決するために、第一に本発明は、広告のターゲットとなる属性を有する複数の登録情報であって、複数の地域のうち何れかの地域に関する情報が対応付けられた複数の登録情報を含む登録データを取得する取得手段と、前記何れかの地域に関する情報が所定の地域識別情報を含まない場合に、前記何れかの地域に関する情報を、前記何れかの地域に対応する地域識別情報を含むように変更する変更手段と、前記登録データ内の同一の地域識別情報の数に基づいて、前記複数の地域の中から広告の提供先となる地域を設定する設定手段と、を備える広告システムを提供する（発明１）。
【０００７】
かかる発明（発明１）によれば、登録データ内の同一の地域識別情報の数が多いほど、当該地域識別情報に対応付けられた広告のターゲットとなる属性の数が多くなることから、当該地域識別情報に対応する地域に多くのターゲット層が存在する（つまり、この地域では広告効果が高い）と推定することが可能になる。また、地域識別情報を含まない登録データを用いた場合であっても広告の提供先となる地域を設定することができるので、様々な登録データを用いて広告の提供先となる地域を設定することが可能になる。これにより、広告効果が高いと推定される地域を容易に設定することができる。
【０００８】
上記発明（発明１）においては、前記設定手段は、前記登録データが複数存在する場合に、複数の登録データ毎の同一の地域識別情報の数に基づいて、広告の提供先となる地域を設定してもよい（発明２）。
【０００９】
かかる発明（発明２）によれば、広告の提供先となる地域を、複数の登録データを用いて設定することができるので、広告効果が高いと推定される地域の設定精度を向上させることができる。
【００１０】
上記発明（発明２）においては、前記設定手段は、前記複数の登録データのうち何れかの登録データ内の同一の地域識別情報の数を、前記何れかの登録データに対して設定された広告との関連度に応じて重み付けしてもよい（発明３）。
【００１１】
かかる発明（発明３）によれば、例えば、広告との関連度の値が大きいほど登録データ内の同一の地域識別情報の数が大きく重み付けされる場合には、広告との関連度が大きい登録データに同一の地域識別情報が多く含まれているほど、当該地域識別情報に対応する地域を広告の提供先として設定し易くなることから、広告効果が高いと推定される地域の設定精度をさらに向上させることができる。
【００１２】
上記発明（発明１〜３）においては、前記地域識別情報は郵便番号であってもよい（発明４）。
【００１３】
かかる発明（発明４）によれば、登録データ内の同一の郵便番号の数に基づいて、広告の提供先となる地域を設定することができるので、例えば郵便番号よりもデータ量の多い住居表示や地番等を用いて広告の提供先となる地域を設定する場合と比較して、広告の提供先となる地域を容易に設定することが可能になる。
【００１４】
第二に本発明は、広告の提供先となる地域をコンピュータに設定させる広告方法であって、前記コンピュータは、広告のターゲットとなる属性を有する複数の登録情報であって、複数の地域のうち何れかの地域に関する情報が対応付けられた複数の登録情報を含む登録データを取得するステップと、前記何れかの地域に関する情報が所定の地域識別情報を含まない場合に、前記何れかの地域に関する情報を、前記何れかの地域に対応する地域識別情報を含むように変更するステップと、前記登録データ内の同一の地域識別情報の数に基づいて、前記複数の地域の中から広告の提供先となる地域を設定するステップと、の各ステップを実行する、広告方法を提供する（発明５）。
【発明の効果】
【００１５】
本発明の広告システム、広告方法によれば、広告効果が高いと推定される地域を容易に設定することができる。
【図面の簡単な説明】
【００１６】
【図１】本発明の一実施形態に係る広告システムの基本構成を概略的に示す図である。
【図２】設定装置の構成を示すブロック図である。
【図３】本実施形態に係る広告システムで主要な役割を果たす機能を説明するための機能ブロック図である。
【図４】検索履歴データの構成例を示す図である。
【図５】所得データの構成例を示す図である。
【図６】保有自動車データの構成例を示す図である。
【図７】郵便番号データの構成例を示す図である。
【図８】本実施形態に係る広告システムの主要な処理の一例を示すフローチャートである。
【発明を実施するための形態】
【００１７】
以下、本発明の一実施形態に係る広告システム、広告方法について添付図面を参照して詳細に説明する。ただし、この実施形態は例示であり、本発明はこれに限定されるものではない。
【００１８】
（１）広告システムの基本構成
図１は、本発明の一実施形態に係る広告システムの基本構成を概略的に示す図である。図１に示すように、本実施形態に係る広告システムは、複数の通信装置１０の各々と通信可能に接続された設定装置２０を備えており、設定装置２０は、広告のターゲットとなる属性を有する複数の登録情報であって、複数の地域のうち何れかの地域に関する情報が対応付けられた複数の登録情報を含む登録データを各通信装置１０から取得すると、取得した登録データを用いて、当該複数の地域の中から広告の提供先となる地域を設定するようになっている。
【００１９】
複数の通信装置１０と、設定装置２０とは、例えばインターネットやＬＡＮ（Local Area Network）等の通信網ＮＷ（ネットワーク）に接続されており、通信網ＮＷを介して相互に通信可能となっている。
【００２０】
複数の通信装置１０の各々は、例えば中央官庁、地方公共団体、民間調査機関、法人、店舗等に配置された汎用のパーソナルコンピュータであってもよいし、例えば携帯端末、スマートフォン、ＰＤＡ（Personal Digital Assistant）、双方向の通信機能を備えたテレビジョン受像機（いわゆる多機能型のスマートテレビも含む）等のように、個々のユーザによって操作される装置であってもよい。
【００２１】
なお、本実施形態では、各通信装置１０が、登録データを生成して設定装置２０に送信する場合を一例として説明するが、各通信装置１０は、例えば、登録データを生成する装置から受信した登録データを設定装置２０に転送するための装置であってもよい。
【００２２】
（２）設定装置の構成
図２を参照して設定装置２０について説明する。図２は、設定装置２０の内部構成を示すブロック図である。図２に示すように、設定装置２０は、ＣＰＵ（Central Processing Unit）２１と、ＲＯＭ（Read Only Memory）２２と、ＲＡＭ（Random Access Memory）２３と、不揮発性メモリ２４と、表示処理部２５と、表示部２６と、入力部２７と、通信インタフェース部２８と、を備えており、各部間の制御信号又はデータ信号を伝送するためのバス２９が設けられている。設定装置２０は、例えば、汎用のパーソナルコンピュータであってもよい。
【００２３】
ＣＰＵ２１は、電源が設定装置２０に投入されると、ＲＯＭ２２又は不揮発性メモリ２４に記憶された各種のプログラムをＲＡＭ２３にロードして実行する。本実施形態では、ＣＰＵ２１は、ＲＯＭ２２又は不揮発性メモリ２４に記憶されたプログラムを読み出して実行することにより、後述する取得手段３１、変更手段３２及び設定手段３３（図３に示す）の機能を実現する。
【００２４】
不揮発性メモリ２４は、例えばＨＤＤ（Hard Disk Drive）であり、ＣＰＵ２１が実行するプログラムやＣＰＵ２１が参照するデータを記憶する。また、不揮発性メモリ２４には、後述する郵便番号データ（図７に示す）が記憶されている。
【００２５】
表示処理部２５は、ＣＰＵ２１から与えられる表示用データを表示部２６に表示する。表示部２６は、例えば、マトリクス状に画素単位で配置された薄膜トランジスタを含むＬＣＤ（Liquid Crystal Display）モニタであり、表示用データに基づいて薄膜トランジスタを駆動することで、表示されるデータを表示画面に表示する。
【００２６】
入力部２７は、例えばマウスやキーボード等の情報入力デバイスである。通信インタフェース部２８は、通信網ＮＷを介して通信を行うためのインタフェース回路を含む。
【００２７】
（３）広告システムにおける各機能の概要
本実施形態の広告システムで実現される機能について、図３を参照して説明する。図３は、本実施形態の広告システムで主要な役割を果たす機能を説明するための機能ブロック図である。図３の機能ブロック図では、取得手段３１、変更手段３２及び設定手段３３が本発明の主要な構成に対応している。
【００２８】
なお、本実施形態の広告システムでは、自動車の広告の提供先となる地域を設定する場合を一例として説明する。また、本実施形態では、各通信装置１０のうち何れか１つの通信装置１０が図４に示す検索履歴データを生成して記憶しており、他の１つの通信装置１０が図５に示す所得データを生成して記憶しており、さらに他の１つの通信装置１０が図６に示す自動車保有台数データを生成して記憶している場合を想定する。ここで、検索履歴データ、所得データ及び自動車保有台数データの各々は、本発明の「登録データ」の一例である。
【００２９】
検索履歴データは、図４に示すように、例えばインターネット上の情報（ウェブページ、画像ファイル、ネットニュース等）を検索する検索サービスにおいて入力された検索キーワードの履歴が複数の登録情報として記録（登録）されたデータである。検索履歴データには、例えば、検索サービスを利用する端末装置（例えば、パーソナルコンピュータ、携帯端末、スマートフォン、ＰＤＡ等）によって検索キーワードが入力される毎に、当該検索キーワードが、当該検索キーワードを入力したときの端末装置の位置に対応する郵便番号が対応付けられた状態で記録（登録）されるようになっている。なお、本実施形態では、所定の条件を満たす検索キーワード（例えば、自動車に関するキーワードを含む検索キーワード（例えば、「新車  おすすめ」、「車  ランキング」、「車  買い替え」、「車  中古」、「車  買い方」等））が、広告のターゲットとなる属性として設定されていることを想定している。
【００３０】
ここで、検索キーワードを入力したときの端末装置の位置は、例えば、端末装置に割り当てられたＩＰアドレスに基づいて推定されたものであってもよいし、端末装置が通信を行うのに利用した基地局の位置に基づいて推定されたものであってもよいし、端末装置に内蔵又は接続されたＧＰＳ（Global Positioning System）情報取得装置を用いて取得された位置情報に基づいて推定されたものであってもよい。
【００３１】
所得データは、図５に示すように、例えば日本国内の世帯毎の年間所得が複数の登録情報として記録（登録）されたデータである。所得データは、例えば、国勢調査のデータに基づいて生成されてもよい。所得データには、世帯毎に、世帯の住所と、当該世帯の年間所得（所得額）とが対応付けられた状態で記録（登録）されるようになっている。なお、本実施形態では、所定の条件を満たす所得額（例えば、所得額が１０００万円以上）が、広告のターゲットとなる属性として設定されていることを想定している。
【００３２】
自動車保有台数データは、図６に示すように、例えば日本国内で保有されている自動車毎の情報が複数の登録情報として記録（登録）されたデータである。自動車保有台数データは、例えば、一般財団法人自動車検査登録情報協会による自動車保有台数データに基づいて生成されてもよい。自動車保有台数データには、保有自動車毎に、保有者の住所と、自動車のメーカー名と、自動車名と、自動車の初年度登録年月と、自動車の台数とが対応付けられた状態で記録（登録）されるようになっている。なお、本実施形態では、所定の条件を満たす初年度登録年月（例えば、所定期間内に車検を行うタイミングに達する初年度登録年月）が、広告のターゲットとなる属性として設定されていることを想定している。
【００３３】
取得手段３１は、広告のターゲットとなる属性を有する複数の登録情報であって、複数の地域のうち何れかの地域に関する情報が対応付けられた複数の登録情報を含む検索履歴データ、所得データ及び自動車保有台数データ（登録データ）を取得する機能を備える。
【００３４】
取得手段３１の機能は、例えば以下のように実現される。設定装置２０のＣＰＵ２１は、先ず、検索履歴データの送信要求を、通信インタフェース部２８及び通信網ＮＷを介して、複数の通信装置１０のうち検索履歴データを生成及び記憶する通信装置１０に送信する。一方、検索履歴データを生成及び記憶する通信装置１０は、検索履歴データの送信要求を設定装置２０から受信すると、通信網ＮＷを介して検索履歴データを設定装置２０に送信する。そして、設定装置２０のＣＰＵ２１は、通信インタフェース部２８を介して検索履歴データを受信（取得）すると、取得した検索履歴データを例えばＲＡＭ２３又は不揮発性メモリ２４に記憶する。
【００３５】
次に、設定装置２０のＣＰＵ２１は、所得データの送信要求を、通信インタフェース部２８及び通信網ＮＷを介して、複数の通信装置１０のうち所得データを生成及び記憶する通信装置１０に送信する。一方、所得データを生成及び記憶する通信装置１０は、所得データの送信要求を設定装置２０から受信すると、通信網ＮＷを介して所得データを設定装置２０に送信する。そして、設定装置２０のＣＰＵ２１は、通信インタフェース部２８を介して取得データを受信（取得）すると、取得した所得データを例えばＲＡＭ２３又は不揮発性メモリ２４に記憶する。
【００３６】
さらに、設定装置２０のＣＰＵ２１は、自動車保有台数データの送信要求を、通信インタフェース部２８及び通信網ＮＷを介して、複数の通信装置１０のうち自動車保有台数データを生成及び記憶する通信装置１０に送信する。一方、自動車保有台数データを生成及び記憶する通信装置１０は、自動車保有台数データの送信要求を設定装置２０から受信すると、通信網ＮＷを介して自動車保有台数データを設定装置２０に送信する。そして、設定装置２０のＣＰＵ２１は、通信インタフェース部２８を介して自動車保有台数データを受信（取得）すると、取得した自動車保有台数データを例えばＲＡＭ２３又は不揮発性メモリ２４に記憶する。
【００３７】
変更手段３２は、何れかの地域に関する情報が郵便番号（所定の地域識別情報）を含まない場合に、何れかの地域に関する情報を、何れかの地域に対応する郵便番号を含むように変更する機能を備える。
【００３８】
変更手段３２の機能は、例えば以下のように実現される。設定装置２０のＣＰＵ２１は、取得手段３１の機能に基づいて取得した登録データのうち、登録情報に郵便番号が含まれていない登録データ（本実施形態では、所得データ及び自動車保有台数データ）の内容を、図７に示す郵便番号データを用いて変更する。ここで、郵便番号データは、例えば、日本国内の住所毎に、対応する郵便番号が記録されたデータである。ＣＰＵ２１は、例えば、取得データ及び自動車保有台数データの各々にアクセスして、各データ内に記録されている住所を、郵便番号データ内で対応付けられた郵便番号データに変更してもよい。
【００３９】
設定手段３３は、登録データ内の同一の郵便番号（地域識別情報）の数に基づいて、複数の地域の中から広告の提供先となる地域を設定する機能を備える。
【００４０】
また、設定手段３３は、登録データが複数存在する場合に、複数の登録データ毎の同一の郵便番号（地域識別情報）の数に基づいて、広告の提供先となる地域を設定してもよい。これにより、広告の提供先となる地域を、複数の登録データを用いて設定することができるので、広告効果が高いと推定される地域の設定精度を向上させることができる。
【００４１】
さらに、地域識別情報は郵便番号であってもよい。この場合、登録データ内の同一の郵便番号の数に基づいて、広告の提供先となる地域を設定することができるので、例えば郵便番号よりもデータ量の多い住居表示や地番等を用いて広告の提供先となる地域を設定する場合と比較して、広告の提供先となる地域を容易に設定することが可能になる。
【００４２】
設定手段３３の機能は、例えば以下のように実現される。設定装置２０のＣＰＵ２１は、検索履歴データ、取得データ及び自動車保有台数データの各々にアクセスして、広告のターゲットとなる属性を有する登録情報毎に当該登録情報に対応付けられている郵便番号を検出し、郵便番号を検出する毎に当該郵便番号のカウント数を１つ増加させる。なお、郵便番号のカウント数は、例えばＲＡＭ２３に記憶されてもよい。
【００４３】
例えば、ＣＰＵ２１は、検索履歴データにアクセスして、所定の条件を満たす検索キーワード（例えば、自動車に関するキーワードを含む検索キーワード）を有する登録情報に対応付けられている郵便番号を検出すると、当該郵便番号のカウント数を１つ増加させてもよい。また、ＣＰＵ２１は、取得データにアクセスして、所定の条件を満たす所得額（例えば、所得額が１０００万円以上）を有する登録情報に対応付けられている郵便番号（変更手段３２の機能によって住所から変更されている）を検出すると、当該郵便番号のカウント数を１つ増加させてもよい。さらに、ＣＰＵ２１は、自動車保有台数データにアクセスして、所定の条件を満たす初年度登録年月（例えば、所定期間内に車検を行うタイミングに達する初年度登録年月）を有する登録情報に対応付けられている郵便番号（変更手段３２の機能によって住所から変更されている）を検出すると、当該郵便番号のカウント数を１つ増加させてもよい。
【００４４】
そして、ＣＰＵ２１は、例えば、カウント数が高い順に少なくとも１つの郵便番号を抽出し、抽出した郵便番号に対応する地域を広告の提供先としてＲＡＭ２３又は不揮発性メモリ２４に記憶（設定）してもよい。また、ＣＰＵ２１は、カウント数、又は、全郵便番号のカウント数の合計に対するカウント数の割合が所定値以上の郵便番号に対応する地域を広告の提供先としてＲＡＭ２３又は不揮発性メモリ２４に記憶（設定）してもよい。さらに、ＣＰＵ２１は、抽出した郵便番号に対応する地域を表示部２６に表示させてもよい。
【００４５】
そして、広告の提供先として設定された地域に対して、例えばチラシが情報媒体に折り込まれた状態で配布されてもよいし、例えばチラシ、ダイレクトメール、フリーペーパー等がポスティングによって配布されてもよいし、インターネット広告が配信されてもよい。
【００４６】
（４）本実施形態の広告システムの主要な処理のフロー
次に、本実施形態の広告システムにより行われる主要な処理のフローの一例について、図８のフローチャートを参照して説明する。
【００４７】
先ず、設定装置２０のＣＰＵ２１は、登録データの送信要求を、通信インタフェース部２８及び通信網ＮＷを介して、通信装置１０に送信する。一方、通信装置１０は、登録データの送信要求を設定装置２０から受信すると、通信網ＮＷを介して登録データを設定装置２０に送信する。そして、設定装置２０のＣＰＵ２１は、通信インタフェース部２８を介して登録データを受信（取得）すると、取得した登録データを例えばＲＡＭ２３又は不揮発性メモリ２４に記憶する（ステップＳ１００）。
【００４８】
次に、設定装置２０のＣＰＵ２１は、取得した登録データ内の登録情報に対応付けられている地域に関する情報が郵便番号（所定の地域識別情報）を含まない場合に（ステップＳ１０２：ＮＯ）、当該地域に関する情報を、当該地域に対応する郵便番号（地域識別情報）を含むように変更する（ステップＳ１０４）。なお、ＣＰＵ２１は、取得した登録データ内の登録情報に対応付けられている地域に関する情報が郵便番号（所定の地域識別情報）を含むと判別した場合に（ステップＳ１０２：ＹＥＳ）、ステップＳ１０６の処理に移行してもよい。
【００４９】
そして、設定装置２０のＣＰＵ２１は、登録データ内の同一の郵便番号（地域識別情報）の数に基づいて、複数の地域の中から広告の提供先となる地域を設定する（ステップＳ１０６）。ここで、ＣＰＵ２１は、例えば、同一の郵便番号の数（カウント数）が高い順に少なくとも１つの郵便番号を抽出し、抽出した郵便番号に対応する地域を広告の提供先としてＲＡＭ２３又は不揮発性メモリ２４に記憶（設定）してもよい。また、ＣＰＵ２１は、カウント数、又は、全郵便番号のカウント数の合計に対するカウント数の割合が所定値以上の郵便番号に対応する地域を広告の提供先としてＲＡＭ２３又は不揮発性メモリ２４に記憶（設定）してもよい。さらに、ＣＰＵ２１は、抽出した郵便番号に対応する地域を表示部２６に表示させてもよい。
【００５０】
上述したように、本実施形態の広告システム、広告方法によれば、検索履歴データ（登録データ）内の同一の郵便番号（地域識別情報）の数が多いほど、当該郵便番号に対応付けられた検索キーワード（広告のターゲットとなる属性）の数が多くなることから、当該郵便番号に対応する地域に多くのターゲット層が存在する（つまり、この地域では広告効果が高い）と推定することが可能になる。また、郵便番号を含まない所得データ、自動車保有台数データ（登録データ）を用いた場合であっても広告の提供先となる地域を設定することができるので、様々な登録データを用いて広告の提供先となる地域を設定することが可能になる。これにより、広告効果が高いと推定される地域を容易に設定することができる。
【００５１】
以下、上述した実施形態の変形例について説明する。
（変形例１）
本変形例において、設定手段３３は、複数の登録データのうち何れかの登録データ内の同一の郵便番号（地域識別情報）の数を、当該何れかの登録データに対して設定された広告との関連度に応じて重み付けしてもよい。この場合、例えば、広告との関連度の値が大きいほど登録データ内の同一の郵便番号の数が大きく重み付けされる場合には、広告との関連度が大きい登録データに同一の郵便番号が多く含まれているほど、当該郵便番号に対応する地域を広告の提供先として設定し易くなることから、広告効果が高いと推定される地域の設定精度をさらに向上させることができる。
【００５２】
本変形例における設定手段３３の機能は、例えば以下のように実現される。設定装置２０のＣＰＵ２１は、検索履歴データ、取得データ及び自動車保有台数データの各々にアクセスして、広告のターゲットとなる属性を有する登録情報毎に当該登録情報に対応付けられている郵便番号を検出し、郵便番号を検出する毎に当該郵便番号のカウント数を増加させる。ここで、カウント数の増加値は、検索履歴データ、取得データ及び自動車保有台数データの各々に設定された広告との関連度に応じて異なっていてもよい。
【００５３】
例えば、検索履歴データには広告との関連度が１に設定され、取得データには広告との関連度が２に設定され、自動車保有台数データには広告との関連度が３に設定されてもよい。この場合、検索履歴データにおいて、広告のターゲットとなる属性を有する登録情報に対応付けられている郵便番号を検出する毎に、当該郵便番号のカウント数を１つ増加させ、所得データにおいて、広告のターゲットとなる属性を有する登録情報に対応付けられている郵便番号を検出する毎に、当該郵便番号のカウント数を２つ増加させ、自動車保有台数データにおいて、広告のターゲットとなる属性を有する登録情報に対応付けられている郵便番号を検出する毎に、当該郵便番号のカウント数を３つ増加させてもよい。
【００５４】
なお、広告との関連度は、例えばＲＡＭ２３又は不揮発性メモリ２４に記憶されてもよい。また、登録データと広告との関連度は、任意に設定されてもよい。
【００５５】
（変形例２）
上記実施形態では、検索履歴データ、所得データ及び自動車保有台数データの各々を登録データとして用いる場合を一例として説明したが、この場合に限られない。例えば、顧客の住所又は郵便番号と購入内容とが対応付けられた顧客データが登録データとして用いられてもよい。
【００５６】
（変形例３）
上記実施形態では、広告対象が自動車である場合を一例として説明したが、この場合に限られない。例えば、広告対象は、他の商品（例えば住宅や健康食品等）であってもよいし、他のサービス（例えば住宅のリフォーム等）であってもよい。ここで、広告対象が住宅のリフォームである場合には、広告のターゲットとなる属性を「検索キーワード」、「所得（例えば１０００万円以上）」、「着工年度（例えば２０年前以前）」に設定してもよい。この場合、例えば、住宅の購入やリフォームに関するキーワードを含む検索キーワードが登録情報として記録された検索履歴データを登録データとして用いてもよいし、図５に示す所得データを登録データとして用いてもよいし、国土交通省によるニュータウンリスト（各地域のニュータウンの事業年度（着工年度）が当該地域の住所又は郵便番号に対応付けられている）等の統計データを登録データとして用いてもよいし、顧客の住所又は郵便番号と購入内容とが対応付けられた顧客データを登録データとして用いてもよい。
【００５７】
また、広告対象が健康食品である場合には、広告のターゲットとなる属性を「年齢（例えば５０歳〜６９歳）」、「性別（例えば女性）」、「一般世帯比率」に設定してもよい。この場合、例えば、国勢調査データに基づく地域毎の年齢及び／又は性別人口データを登録データとして用いてもよいし、国勢調査データに基づく地域毎の一般世帯比率を登録データとして用いてもよいし、顧客の住所又は郵便番号と購入内容とが対応付けられた顧客データを登録データとして用いてもよい。
【００５８】
（変形例４）
上記実施形態では、地域識別情報が郵便番号である場合を一例として説明したが、この場合に限られない。例えば、地域識別情報は、住居表示や地番等であってもよいし、住居表示や地番や区域毎に任意に設定されたコードであってもよい。
【００５９】
なお、本発明の広告方法をコンピュータに実行させるためのプログラムは、コンピュータで読み取り可能な記憶媒体に記憶されていてもよい。このプログラムを記録した記憶媒体は、例えば図２に示された不揮発性メモリ２４であってもよい。また、例えばＣＤ−ＲＯＭドライブ等のプログラム読取装置に挿入されることで読み取り可能なＣＤ−ＲＯＭ等であってもよい。さらに、記憶媒体は、磁気テープ、カセットテープ、フレキシブルディスク、ＭＯ（Magneto Optical disk）／ＭＤ（MiniDisk）／ＤＶＤ（Digital Versatile Disc）等であってもよいし、半導体メモリであってもよい。
【００６０】
以上説明した各実施形態は、本発明の理解を容易にするために記載されたものであって、本発明を限定するために記載されたものではない。したがって、上記各実施形態に開示された各要素は、本発明の技術的範囲に属する全ての設計変更や均等物をも含む趣旨である。
【００６１】
上述した実施形態では、登録データが、通信装置１０から設定装置２０に送信される場合を一例として説明したが、この場合に限られない。例えば、事前に生成された登録データが、例えば入力部２７を用いて設定装置２０に直接入力されてもよい。
【００６２】
上述した実施形態では、設定装置２０によって、取得手段３１、変更手段３２及び設定手段３３の各機能を実現する構成としたが、この構成に限られない。例えば、これらの手段のうち少なくとも一部の手段を、複数の通信装置１０のうち何れかの通信装置１０によって実現する構成としてもよい。
【産業上の利用可能性】
【００６３】
上述したような本発明の広告システム、広告方法によれば、広告効果が高いと推定される地域を容易に設定することができ、例えばエリアターゲティング等のように特定の地域に特別な広告を提供する広告サービスに好適に利用することができるので、その産業上の利用可能性は極めて大きい。
【符号の説明】
【００６４】
１０…通信装置
２０…設定装置
３１…取得手段
３２…変更手段
３３…設定手段
【図１】
2019105884.tif 000003
【図２】
2019105884.tif 000004
【図３】
2019105884.tif 000005
【図４】
2019105884.tif 000006
【図５】
2019105884.tif 000007
【図６】
2019105884.tif 000008
【図７】
2019105884.tif 000009
【図８】
2019105884.tif 000010